(57)【要約】【課題】Ｘ線管とＸ線検出器との間に天板を挟んだ撮影方式と、天板を挟まない撮影方式の、いずれの方式でも撮影が可能なＸ線画像診断装置を提供する。【解決手段】Ｘ線を検出するＸ線検出手段と、前記Ｘ線検出手段に向かってＸ線を照射するＸ線発生手段と、第１天板及び第２天板と、前記第１天板が前記第２天板に対し離間し、且つ前記Ｘ線検出手段が前記離間した領域から前記Ｘ線発生手段に対して露出した第１位置と、前記第１天板が前記第２天板に対して近接し、且つ前記Ｘ線検出手段が前記天板を間にして前記Ｘ線発生手段と対向した第２位置とを取り得るように、前記第１天板及び前記Ｘ線検出手段を移動させる駆動部とを有することを特徴とする。【選択図】  図１
2011115454.tif 000002
【特許請求の範囲】
【請求項１】
Ｘ線を検出するＸ線検出手段と、
前記Ｘ線検出手段に向かってＸ線を照射するＸ線発生手段と、
第１天板及び第２天板と、
前記第１天板が前記第２天板に対し離間し、且つ前記Ｘ線検出手段が前記離間した領域
から前記Ｘ線発生手段に対して露出した第１位置と、前記第１天板が前記第２天板に対し
て近接し、且つ前記Ｘ線検出手段が前記天板を間にして前記Ｘ線発生手段と対向した第２
位置とを取り得るように、前記第１天板及び前記Ｘ線検出手段を移動させる駆動部と
を有することを特徴とするＸ線画像診断装置。
【請求項２】
前記駆動部は前記第１位置において、前記Ｘ線検出手段を前記第１天板及び前記第２天
板に比して前記Ｘ線発生手段に近接した位置へ移動させる
ことを特徴とする請求項１に記載のＸ線画像診断装置。
【請求項３】
前記駆動部は前記第２位置において、前記Ｘ線検出手段を前記第１天板または前記第２
天板のいずれか一方を間にして前記Ｘ線発生手段と対向した位置へ移動させる
ことを特徴とする請求項１または２に記載のＸ線画像診断装置。
【請求項４】
前記Ｘ線検出手段が検出したＸ線検出情報に基づいてＸ線撮影画像を生成する画像生成
手段と、
前記第２位置において前記Ｘ線検出手段が検出したＸ線検出情報に基づいて前記画像生
成手段が生成したＸ線撮影画像を補正する補正手段と、
を更に備えることを特徴とする請求項１乃至３のいずれか１項に記載のＸ線画像診断装置
。
【請求項５】
前記駆動部は前記第１位置において、前記第１天板、前記第２天板、及び前記Ｘ線検出
手段を、前記Ｘ線画像診断装置が配置された床面に対して垂直な方向へ回転させる
ことを特徴とする請求項１乃至４のいずれか１項に記載のＸ線画像診断装置。
【発明の詳細な説明】
【技術分野】
【０００１】
本発明は、Ｘ線検出装置を移動可能に構成したＸ線画像診断装置に関する。
【背景技術】
【０００２】
Ｘ線を被検体に対して照射し、被検体を透過したＸ線を検出することによって被検体内
部の画像を取得する、いわゆるＸ線画像診断装置の普及が進んでいる。こうしたＸ線画像
診断装置は、被検体の体内の様子を観察することができるために、今日の医療において必
要不可欠なものとなっている。
【０００３】
Ｘ線画像診断装置は一般に、Ｘ線を照射するＸ線管と、Ｘ線を検出して画像信号へと変
換するＸ線検出器とを向かい合わせることで構成される。Ｘ線画像の撮影の際には、まず
Ｘ線管とＸ線検出器との間に被検体を配置する。そしてＸ線管に高電圧を印加することで
、Ｘ線管はＸ線を被検体に向けて照射する。照射されたＸ線は被検体を透過してＸ線検出
器へと入射する。照射されたＸ線は被検体を透過することでその強度が変化するため、Ｘ
線検出器はＸ線の変化量を検出することで、被検体の内部構造を表示する。
【０００４】
一般に、撮影する被検体の部位が異なる場合には、Ｘ線画像診断装置の撮影方法も合わ
せて変化させる必要がある。例えば、被検体を立位の姿勢にして被検体の肺などを撮影す
る、所謂一般撮影を行う場合においては、床面に対して垂直に設置したＸ線検出器に接す
るよう被検体を位置させる。そして、被検体を間にしてＸ線検出器と平行になるよう配置
されたＸ線管がＸ線検出器に向けてＸ線を照射することで、Ｘ線検出器は被検体を透過し
たＸ線を検出して、投影画像の生成を行う方法が一般的に用いられる。一方、被検体の消
化管などを撮影する場合においては、床面に対して水平に設置したＸ線検出器の上部に天
板を設け、天板の上に被検体を載置する。そして、被検体の上方に配置されたＸ線管がＸ
線検出器に向けてＸ線を照射することで、Ｘ線検出器は被検体を透過したＸ線を検出して
、画像信号の生成を行う方法が一般的に用いられる。こうしたＸ線画像診断装置において
は、薄い平板上にＸ線のエネルギーに応じて電荷を発生する半導体素子を並べて構成した
ＦＰＤ（Ｆｌａｔ  Ｐａｎｅｌ  Ｄｅｔｅｃｔｏｒ：Ｘ線平面検出器）をＸ線検出器とし
て用いることが主流となっている。
【０００５】
被検体を天板に載置して被検体を撮影する場合に、アームの上端にＸ線管を、下端にＸ
線検出器を設ける。被検体が載置された天板を挟み込むようにアームを位置させて、被検
体及び天板を透過したＸ線をＸ線検出器で検出するＸ線画像診断装置が開示されている（
例えば、特許文献１を参照。）。
【先行技術文献】
【特許文献】
【０００６】
【特許文献１】特開２００６−２３９１２６号公報
【発明の概要】
【発明が解決しようとする課題】
【０００７】
先述したＸ線画像診断装置において被検体を天板に載置して撮影を行う場合には、Ｘ線
管から照射されたＸ線は被検体及び天板を透過してＦＰＤへと到達する。天板を介して撮
影を行うために、被検体とＦＰＤとの距離は、被検体とＦＰＤとが接した状態で撮影を行
う一般撮影に比べ離れることとなる。被検体とＦＰＤとの間が離れていることにより、被
検体を透過したＸ線がＦＰＤ上に結ぶ像はぼやけ、その結果ＦＰＤが検出するＸ線画像の
画質は低下してしまう。
【０００８】
従って、一般撮影を精度良く行うためには、天板に被検体を載置して消化管などの撮影
を行うＸ線診断装置の組とは別に、天板を設けずＦＰＤを露出させたＸ線診断装置を新た
に用意する必要があった。しかし、ＦＰＤは一般に高価であるため、１つのＦＰＤを用い
て一般撮影及び消化管撮影の両方の撮影を行いたいという要望があった。そこで本発明に
おいては、天板及びＸ線検出器を移動させる構成を取ることにより、Ｘ線管とＸ線検出器
との間に天板を挟む撮影方式と、天板を挟まない撮影方式の、いずれの撮影をも行うこと
が可能なＸ線画像診断装置を提供する。
【課題を解決するための手段】
【０００９】
上記課題を解決するため、本発明におけるＸ線画像診断装置は、Ｘ線を検出するＸ線検
出手段と、前記Ｘ線検出手段に向かってＸ線を照射するＸ線発生手段と、第１天板及び第
２天板と、前記第１天板が前記第２天板に対し離間し、且つ前記Ｘ線検出手段が前記離間
した領域から前記Ｘ線発生手段に対して露出した第１位置と、前記第１天板が前記第２天
板に対して近接し、且つ前記Ｘ線検出手段が前記天板を間にして前記Ｘ線発生手段と対向
した第２位置とを取り得るように、前記第１天板及び前記Ｘ線検出手段を移動させる駆動
部とを有することを特徴とする。
【発明の効果】
【００１０】
本発明によれば、被検体の撮影部位にあわせて天板及びＸ線検出器を移動させる。これ
により、Ｘ線管とＸ線検出器との間に天板を挟む撮影方式と、天板を挟まない撮影方式の
、いずれの撮影をも行うことが可能なＸ線画像診断装置を提供する。
【図面の簡単な説明】
【００１１】
【図１】本発明の実施形態に係るＸ線画像診断装置の構成を示すブロック図。
【図２】本発明の実施形態に係るＸ線画像診断装置の側面の外観を示す図。
【図３】本発明の実施形態に係る消化管撮影モードの撮影を行う場合の各駆動装置の位置状態を示す図。
【図４】本発明の実施形態に係る一般撮影モードの撮影を行う場合の各駆動装置の位置状態を示す図。
【図５】本発明の実施形態に係る操作部の構成例を示す図。
【図６】本発明の実施形態に係る補正画像生成部の構成を示す機能ブロック図。
【図７】本発明の実施形態に係る撮影処理の流れを示すフローチャート。
【図８】本発明の実施形態に係る第１天版に駆動部を設けた構成を示す図。
【図９】本発明の実施形態に係る、図７に示したＸ線画像診断装置の構成において一般撮影モードの撮影を行う場合の各駆動装置の位置状態を示す図。
【発明を実施するための形態】
【００１２】
以下、本発明の実施の形態について、図面を参照して説明する。
【００１３】
（第１の実施形態）
図１は、本発明に係るＸ線画像診断装置１の構成を示した図である。Ｘ線画像診断装置
１は、図１に示す種々の構成要素を含むように構成される。
【００１４】
（Ｘ線画像診断装置の構成）
Ｘ線画像診断装置１は、システム制御部１００を備える。システム制御部１００は、Ｃ
ＰＵ（Ｃｅｎｔｒａｌ  Ｐｒｏｃｅｓｓｉｎｇ  Ｕｎｉｔ）、ＲＯＭ（Ｒｅａｄ  Ｏｎｌ
ｙ  Ｍｅｍｏｒｙ）やＲＡＭ（Ｒａｎｄｏｍ  Ａｃｃｅｓｓ  Ｍｅｍｏｒｙ）などから構
成される。システム制御部１００は、ＲＯＭに記憶されるプログラムや、後述する記憶部
１０５からＲＡＭにロードされた各種のアプリケーションプログラムに従って処理を実行
する。ＲＡＭにロードされるアプリケーションプログラムには、後述するＸ線検出装置Ｉ
／Ｆ１０１、画像生成部１０２、画像出力Ｉ／Ｆ１０３、操作部Ｉ／Ｆ１０７、駆動部Ｉ
／Ｆ１０８、及び補正画像生成部１０９などが含まれる。システム制御部１００は、各部
から供給される信号を処理し、また種々の制御信号を生成して各部に供給する。このよう
な処理によって、システム制御部１００は、Ｘ線診断装置を統括的に制御する。また、シ
ステム制御部１００は、操作部１６を通じてユーザから入力された指示を受け付ける。
【００１５】
操作部１６は、例えばタッチパネルディスプレイや、あるいは機械的なボタンやレバー
から構成され、Ｘ線画像診断装置１の使用者が操作部１６に対して行った入力を受け付け
る。操作部１６が受け付けた使用者の指示は、システム制御部１００に内蔵された操作部
Ｉ／Ｆ１０７によって入力信号へと変換される。システム制御部１００は、操作部Ｉ／Ｆ
１０７が出力した入力信号に応じて後述する撮影処理やＸ線診断装置の撮影配置制御処理
などの、種々の処理を実行する。
【００１６】
記憶部１０５は、例えば、ＲＯＭ、ＲＡＭや電気的に書き換えや消去が可能な不揮発性
メモリであるフラッシュメモリ、およびＨＤＤ（Ｈａｒｄ  Ｄｉｓｃ  Ｄｒｉｖｅ）など
の記憶媒体で構成され、システム制御部１００のＣＰＵにより実行される種々のアプリケ
ーションプログラムや制御データ、及び画像生成部１０２あるいは補正画像生成部１０９
から出力された画像データを記憶する。また、記憶部１０５は境界補正画像ＤＢ１０６を
内蔵し、後述する画像補正処理に用いる境界補正画像データを記憶する。ＲＡＭは、ＣＰ
Ｕが各種の処理を実行する上で必要なデータや、後述する補正投影画像に関するデータを
一時的に記憶する。なお、システム制御部１００及び記憶部１０５は、支持台２４の外部
あるいは内部のいずれに設けられるものであっても構わないし、寝台フレーム２７の外部
あるいは内部のいずれに設けられるものであっても構わない。
【００１７】
寝台フレーム２７には、後述するＸ線を用いた撮影を行うための種々の装置が内蔵され
る。寝台フレーム２７は寝台回転機構２２に接続されており、寝台フレーム２７は寝台回
転機構２２が取り付けられた支持台２４によって床面に対して支持される。
【００１８】
寝台フレーム２７の上部には、第１天板２及び第２天板３が設置される。後述する消化器
等の撮影時には、第１天板２及び第２天板３の上に被検体４が載置される。
【００１９】
第１天板２及び第２天板３の上部には、アーム２３の上端と接続されたＸ線管６が設け
られる。Ｘ線管６にはＸ線制御装置５が接続される。Ｘ線制御装置５はＸ線管６へ管電圧
及び管電流を供給し、Ｘ線管６にＸ線を照射させる。Ｘ線制御装置５はＸ線管６から所望
の照射量やエネルギを有するＸ線を発生させるために、Ｘ線管６へ供給する管電圧量、管
電流量、及びＸ線パルス幅などのＸ線出力条件を制御する。Ｘ線管６から照射されたＸ線
は、被検体４と第１天板２及び第２天板３とを透過し、寝台フレーム２７内部に設けられ
、アーム２３の下端と接続されたＦＰＤ７（Ｆｌａｔ  Ｐａｎｅｌ  Ｄｅｔｅｃｔｏｒ：
Ｘ線平面検出器）へと入射する。
【００２０】
ＦＰＤ７は、例えばガラス基板上にスイッチング素子と容量素子を形成し、更にこれら
の素子上を光導電膜で覆うことで構成される。光導電膜は、入射されたＸ線のエネルギに
応じて電荷を発生する。光導電膜から発生した電荷は、容量素子上に蓄えられる。容量素
子上に一定量以上の電荷が蓄えられると、ＦＰＤ７はスイッチング素子を通じて電化を電
気信号へと変換し、ＦＰＤ７が接続されたシステム制御部１００へと出力する。  ＦＰＤ
７はＸ線の入射によって生じた電気信号を、システム制御部１００に内蔵されたＸ線検出
装置Ｉ／Ｆ１０１へ入力する。Ｘ線検出装置Ｉ／Ｆ１０１は、ＦＰＤ７から入力された電
気信号を計算機処理可能な画像信号へと変換し、画像生成部１０２へと入力する。
【００２１】
画像生成部１０２は、Ｘ線検出装置Ｉ／Ｆ１０１から入力された画像信号に基づいて画
像データを生成する。画像生成部は、生成した画像データを画像出力Ｉ／Ｆ１０３へと出
力する。
【００２２】
画像出力Ｉ／Ｆ１０３は、画像生成部１０２から出力された画像データを、モニタ１４
に表示可能なモニタ画像信号へと変換してモニタ１４へ出力する。モニタ１４は、画像出
力Ｉ／Ｆ１０３から出力されたモニタ画像信号を受信し、これを表示する。なお、本実施
形態では画像生成部１０２が生成した画像データをモニタ１４に表示する例を示すが、本
発明の構成はこれに限られるものではない。例えば、画像生成部１０２が生成した画像デ
ータを記憶部１０５へ出力するものであっても構わない。画像生成部１０２が生成した画
像データを記憶部１０５へと出力すると、記憶部１０５は入力された画像データを記憶す
る。
【００２３】
（駆動装置の構成）
本発明のＸ線画像診断装置１は、被検体４を撮影する撮影方式に合わせて、Ｘ線画像診
断装置１の撮影配置を制御する機能を有する。撮影配置の制御は、駆動部Ｉ／Ｆ１０８、
第１天板スライダ１９、第２天板スライダ２０、迫り出し機構２１、寝台回転機構２２、
アームスライダ２５、及びアーム回転機構２６などの駆動装置から構成される。
【００２４】
システム制御部１００に内蔵された駆動部Ｉ／Ｆ１０８は、寝台フレーム２７に設けら
れた第１天板スライダ１９、第２天板スライダ２０、迫り出し機構２１、寝台回転機構２
２、アームスライダ２５、及びアーム回転機構２６に対して駆動を指示する姿勢制御信号
を出力する。
【００２５】
第１天板スライダ１９及び第２天板スライダ２０は、それぞれ第１天板及び第２天板３
に接続される。第１天板スライダ１９及び第２天板スライダ２０は、駆動部Ｉ／Ｆ１０８
から出力された姿勢制御信号に応じて、第１天板２と第２天板３とをそれぞれ離間させ、
（図３に示す方向２０１及び２０４）あるいは近接させる（図３に示す方向２０２及び２
０３）。第１天板スライダ１９及び第２天板スライダ２０は、例えば第１天板２及び第２
天板３の長手方向に沿って設けられたガイドレール、第１天板２及び第２天板３と一体と
なって組みつけられるベルト、及びベルトを回転させるモータから構成される。また、第
１天板２及び第２天板３は、スライダを用いて第１天板スライダ１９あるいは第２天板ス
ライダ２０のガイドレール上を移動可能なように取り付けられている。第１天板スライダ
１９あるいは第２天板スライダ２０のモータが回転すると、モータが取り付けられたベル
トが回転する。第１天板あるいは第２天板に一体となって組みつけられたベルトは、回転
することによって第１天板２あるいは第２天板をガイドレールに沿って移動させる。なお
、本発明における第１天板２あるいは第２天板３の駆動装置の構成は、これに限られるも
のではない。例えば、第１天板スライダ１９及び第２天板スライダ２０を、凹凸を設けた
ギアと、ギアを回転させるモータから構成する。一方第１天板２及び第２天板３の裏面に
は、このギアに対応する凹凸を設けてギアに組み付ける。第１天板スライダ１９あるいは
第２天板スライダ２０のモータが回転すると、モータに組みつけられたギアが回転する。
回転するギアは第１天板２あるいは第２天板３の裏面に設けられた凹凸と噛み合い、ギア
は第１天板２あるいは第２天板を、ガイドレールに沿って移動させる。あるいは、他の種
々の方法を用いて第１天板２及び第２天板３を駆動させる機構を構成しても構わない。
【００２６】
迫り出し機構２１は、アーム２３の底部とＦＰＤ７の裏面を接続するように設けられる。
迫り出し機構２１は、駆動部Ｉ／Ｆ１０８から出力された姿勢制御信号に応じて伸長し、
迫り出し機構２１が取り付けられたＦＰＤ７の高さを変化させる（図３の方向２０５及び
方向２０６）。迫り出し機構２１は、例えば電気信号に応じて伸縮するシリンダなどから
構成される。先述した第１天板スライダ１９及び第２天板スライダ２０の駆動装置が駆動
することにより、第１天板２と第２天板３とが離間すると、２つの天板の間に隙間が現れ
ることとなる。この状態において、ＦＰＤ７は被検体４に対して露出する。第１天板２と
第２天板３とが離間しているときに迫り出し機構２１が伸長すると（図３の方向２０５）
、ＦＰＤ７は第１天板２と第２天板３との隙間から迫り出し、Ｘ線管６に対して近づく。
【００２７】
寝台回転機構２２は、寝台フレーム２７と接続するように設けられる。寝台回転機構２
２は、駆動部Ｉ／Ｆ１０８から出力された姿勢制御信号に応じて回転し、寝台フレーム２
７の床面に対する角度を変化させる。寝台回転機構２２は、例えば支持台２３に組みつけ
られた固定ギアと、固定ギアに対応して噛み合う可動ギア、そして可動ギアを回転させる
モータから構成される。寝台回転機構２２のモータが回転すると、モータに一体となって
取り付けられた可動ギアが回転する。可動ギアが回転すると、支持台２３に対して寝台可
動機構２２が回転し、寝台回転機構２２に接続された寝台フレーム２７も同様に回転する
。寝台フレーム２７が回転して床面に対する角度が変化することにより、寝台フレーム２
７に取り付けられたアーム２３、アーム２３に取り付けられたＸ線管６や迫り出し機構２
１等も寝台フレーム２７と同様に、床面に対する角度が変化する。寝台回転機構２２は、
駆動部Ｉ／Ｆ１０８から出力された姿勢制御信号に合わせて、寝台フレーム２７が床面に
対して水平な角度を持つ状態から、垂直な角度を持つ状態まで回転する。
【００２８】
アームスライダ２５は、寝台フレーム２７とアーム２３とを接続するように設けられる
。アームスライダ２５は、駆動部Ｉ／Ｆ１０８から出力された姿勢制御信号に応じて、ア
ーム２３を寝台に沿って移動させる。Ｘ線画像診断装置１は、アーム２３を移動させるこ
とにより被検体４の撮影部位を変化させることができる。アームスライダ２５は、第１天
板スライダ１９及び第２天板スライダ２０と同様に、例えばアーム２３の移動方向に沿っ
て設けられたガイドレール、アーム２３と一体となって組みつけられるベルト、及びベル
トを回転させるモータから構成される。また、アーム２３は、スライダを用いてガイドレ
ール上を移動可能なように取り付けられている。アームスライダ２５のモータが回転する
ことで、モータはアーム２３をガイドレールに沿って移動させる。
【００２９】
アーム回転機構２６は、アーム２３とアーム２３底部の迫り出し機構２１とを接続する
ように設けられる。アーム回転機構２６は、駆動部Ｉ／Ｆ１０８から出力された姿勢制御
信号に応じて回転し、アーム２３の寝台フレーム２７に対する角度（以下、単にチルト角
と記載する）を変化させる。Ｘ線画像診断装置１は、アーム２３を回転させることにより
被検体４を種々の角度から撮影することができる。アーム回転機構２６は、寝台回転機構
２２と同様に、例えばアーム２３の底部に組みつけられた固定ギアと、固定ギアに対応し
て噛み合う可動ギア、そして可動ギアを回転させるモータから構成される。アーム回転機
構２６のモータが回転することにより、寝台フレーム２７に対してアーム２３が回転し、
チルト角を発生させる。
【００３０】
なお、第１天板スライダ１９、第２天板スライダ２０、迫り出し機構２１、及び寝台回
転機構２２、アームスライダ２５、及びアーム回転機構２６の各駆動装置は、それぞれ駆
動が終了した際に、駆動が終了したこと及び駆動後の各駆動装置の位置状態を示す駆動終
了信号を駆動部Ｉ／Ｆ１０８へと出力する。システム制御部１００は、各駆動装置から出
力された駆動終了信号を受けて、Ｘ線画像診断装置１の各駆動装置の位置状態を記憶部１
０５に記録する。
【００３１】
また、本実施例では、各駆動装置がモータなどの電気デバイスによって駆動する構成を
例として示した。しかし、本発明の構成はこれに限られるものではなく、例えばハンドル
などをモータの代わりに取り付ける。Ｘ線画像診断装置１の使用者がハンドルを回転させ
て、手動で各駆動装置を駆動させる構成を取るものであっても構わない。
【００３２】
（撮影配置の制御）
本発明のＸ線画像診断装置１は、消化管撮影モードと一般撮影モードの２つの撮影モー
ドが切り替わったことに応じて、駆動部Ｉ／Ｆ１０８が姿勢制御信号を第１天板スライダ
１９、第２天板スライダ２０及び迫り出し機構２１へ姿勢制御信号を出力する。第１天板
スライダ１９、第２天板スライダ２０、及び迫り出し機構２１は姿勢制御信号の入力に合
わせて駆動して、Ｘ線画像診断装置１の撮影配置を被検体４の所望の撮影部位を撮影する
為に適した撮影配置へと変化させる。
【００３３】
例えば消化管撮影モードにあるＸ線画像診断装置１は、被検体４の腸や胃などの撮影を行
うために、ＦＰＤ７を寝台フレーム２７の内部へ格納して、更に被検体４を載置可能なよ
うに第１天板２及び第２天板３を近接させた撮影配置へと変化する。一方、一般撮影モー
ドにあるＸ線画像診断装置１は、被検体４の肺や骨、あるいは手足などを撮影する一般撮
影を行うために、第１天板２及び第２天板３を離間させ、ＦＰＤ７を離間させた間隙から
迫り出した撮影配置へと変化する。なお、消化管撮影モードあるいは一般撮影モードで撮
影される被検体４の部位はここで列挙したものに限られず、被検体４の撮影姿勢に適した
種々の部位を撮影するものであっても構わない。
【００３４】
図３に、消化管撮影モードの撮影を行う場合における、Ｘ線画像診断装置１の撮影配置の
一例を示す。図３に示す撮影配置で消化管撮影モードの撮影を行う場合には、まず駆動部
Ｉ／Ｆ１６が迫り出し機構２１を縮退させ、ＦＰＤ７を寝台フレーム２７の内部へ格納さ
せる。そして駆動部Ｉ／Ｆ１６が第１天板スライダ１９と第２天板スライダ２０とを駆動
させ、第１天板２と第２天板３とを近接させる。また、駆動部Ｉ／Ｆ１６が寝台回転機構
２２を回転させ、寝台フレーム２７を床面に対して水平な方向へと回転させる。これらの
動作によりＸ線画像診断装置１は、第１天板２と第２天板３上に被検体４を載置して、床
面に対して垂直に配置したＸ線管６とＦＰＤ７を用いて撮影を行うことができる。
【００３５】
図４に、一般撮影モードを行う場合における、Ｘ線画像診断装置１の撮影配置の一例を
示す。図４に示す一般撮影モードの撮影を行う場合には、駆動部Ｉ／Ｆ１６が第１天板ス
ライダ１９と第２天板スライダ２０とを駆動させ、第１天板２と第２天板３とを離間させ
る。また、駆動部Ｉ／Ｆ１６が迫り出し機構２１を伸長させ、第１天板２と第２天板３と
の間に形成された隙間からＦＰＤ７を迫り出させる。また、駆動部Ｉ／Ｆ１６が寝台回転
機構２２を回転させ、寝台フレーム２７を床面に対して垂直な方向へと回転させる。これ
らの動作によりＸ線画像診断装置１は、被検体４を直立姿勢にし、床面に対して水平に配
置したＸ線管６とＦＰＤ７を用いて撮影を行うことができる。本発明のＸ線画像診断装置
１は、一般撮影モードの撮影を行う場合にＦＰＤ７が第１天板２と第２天板３との間から
迫り出し、被検体４とＦＰＤ７とが接した状態で撮影を行うことができる。Ｘ線管６から
照射され被検体４を透過したＸ線は、第１天板２あるいは第２天板３を透過することなく
、直接ＦＰＤ７へと入射する。被検体４とＦＰＤ７とが接した状態で撮影を行うことによ
り、被検体４とＦＰＤ７との距離が離れていることが原因で生じるＦＰＤ７上のＸ線像の
ぼけを小さくすることができる。また、Ｘ線が第１天板２あるいは第２天板３を透過せず
に入射することで、天板を透過する際に発生するＸ線の不要な減衰を抑えることができる
。その結果、ＦＰＤ７は精度の高い透過画像を得ることが可能となる。
【００３６】
なお本実施例においては、消化管撮影モードでは寝台フレーム２７を床面に対して水平
な角度とし、一般撮影モードでは寝台フレーム２７を床面に対して垂直な角度とする撮影
配置の例を述べた。しかし、本発明の構成はこれに限られるものではなく、寝台フレーム
２７の床面に対する角度は撮影モードによらず、種々の角度を取りうるものであっても構
わない。また、一般撮影モードではＦＰＤ７を第１天板２及び第２天板３の隙間から迫り
出させる構成を例として述べたが、一般撮影モードにおいても必要に応じてＦＰＤ７を寝
台フレーム２７の内部へ格納し撮影を行っても構わない。
【００３７】
図５に、タッチパネルディスプレイによって構成した、本発明における操作部１６の構
成例を示す。操作部１６を構成するタッチパネルディスプレイには、例えばＸ線画像診断
装置１の撮影モードを指示する撮影モード選択ボタン２０１，２０２，２０３、各駆動装
置の姿勢パラメータを示す撮影配置制御ボタン２０４，２０５，２０６，２０７、及びＸ
線制御装置５の駆動パラメータを示すＸ線条件ボタン２０８，２０９，２１０と、撮影配
置制御ボタン２０４，２０５，２０６，２０７とＸ線条件ボタン２０８，２０９，２１０
のパラメータを増減させる、パラメータ増減ボタン２１１，２１２とテンキー２１３など
から構成される。
【００３８】
Ｘ線画像診断装置１の使用者は、操作部１６の撮影モード選択ボタン２０１，２０２，
２０３のいずれかをタッチすることにより、入力信号を操作部Ｉ／Ｆ１０７を通じてシス
テム制御部１００へと入力する。システム制御部１００は操作部Ｉ／Ｆ１０７から出力さ
れた入力信号を受けてＸ線画像診断装置１の撮影モードを切り替える。Ｘ線画像診断装置
１の使用者が撮影モード選択ボタン２０１をタッチした場合には、システム制御部１００
はＦＰＤ７を寝台フレーム２７の内部へ格納した消化管撮影モードへの切り替えを行い、
一方撮影モード選択ボタン２０２をタッチした場合には、システム制御部１００はＦＰＤ
７を第１天板２及び第２天板３から迫り出させた一般撮影モードへの切り替えを行う。な
お、２０３をタッチした場合には、システム制御部１００はＦＰＤ７を寝台フレーム２７
の内部へ格納した状態で一般撮影を行う一般撮影モードへの切り替えを行う。
【００３９】
また、Ｘ線画像診断装置１の使用者は、操作部１６のパラメータ増減ボタン２１１，２１
２をタッチすることにより、入力信号を操作部Ｉ／Ｆ１０７を通じてシステム制御部１０
０へと入力する。システム制御部１００は入力信号を受けて、それぞれ対応した駆動装置
あるいはＸ線制御装置５の駆動パラメータを変化させる制御信号を駆動部Ｉ／Ｆ１０８あ
るいはＸ線制御装置５へと出力する。なお、使用者はパラメータ増減ボタン２１１，２１
２を操作する代わりに、撮影配置制御ボタン２０４，２０５，２０６，２０７あるいはＸ
線条件ボタン２０８，２０９，２１０のいずれかをタッチし、次にテンキー２１３をタッ
チすることにより、所望のパラメータを入力しても構わない。
【００４０】
例えばＸ線画像診断装置１の使用者が撮影配置制御ボタン２０５に隣接したパラメータ
増減ボタン２１１をタッチした場合には、駆動部Ｉ／Ｆ１０８は迫り出し機構２１へ姿勢
制御信号を出力する。迫り出し機構２１は姿勢制御信号を受信すると伸張し、ＦＰＤ７を
迫り出す方向（図３の方向２０５）へと移動させる。一方、Ｘ線画像診断装置１の使用者
が撮影配置制御ボタン２０５に隣接したパラメータ増減ボタン２１２をタッチした場合は
、迫り出し機構２１が縮退して、ＦＰＤ７を格納する方向（図３の方向２０６）へと移動
させる。
【００４１】
（画像データの補正）
先述した撮影配置の制御により、本発明におけるＸ線画像診断装置１を用いて消化管撮
影モードと一般撮影モードの、２つの撮影モードを切り替えて撮影を行うことが可能とな
る。先述したように、消化管撮影モードもしくはＦＰＤ７を格納した一般撮影モードを用
いて撮影を行う場合には、図３に示すようにＸ線管６から照射されたＸ線が、被検体４を
透過した後に第１天板２と第２天板３との境界を透過してＦＰＤ７へと入射することとな
る。第１天板２あるいは第２天板３を透過するＸ線と、その境界を透過したＸ線とではそ
の減衰の割合が異なる。従って、ＦＰＤ７を格納した撮影配置でＦＰＤ７が検出する電気
信号には、第１天板２と第２天板３との境界の画像が含まれてしまう。
【００４２】
そこで、画像生成部１０２はＦＰＤ７を格納して撮影を行う際に、記憶部１０５に格納
した境界補正画像を用いて画像データの補正を行い、画像データに写りこむ第１天板２と
第２天板３との境界の影響を排除する。以下に、図８を参照して境界補正画像データの生
成方法及び、画像データの補正方法について述べる。
【００４３】
図６は、境界補正画像の生成に関わる構成要素及びその構成を示す機能ブロック図である
。境界補正画像の生成は、Ｘ線画像診断装置１がＦＰＤ７を格納した撮影配置にあるとき
に、ＦＰＤ７が被検体４を載置せずに撮影することで行われる。より具体的には、まず駆
動部Ｉ／Ｆ１０８が第１天板スライダ１９、第２天板スライダ２０、迫り出し機構２１、
などの各駆動装置へ姿勢制御信号を出力し、ＦＰＤ７を寝台フレーム２７の内部へ格納す
る。更に駆動部Ｉ／Ｆ１０８は、Ｘ線画像診断装置１の撮影配置を所定の寝台角度、アー
ム２３の寝台フレーム２７に対する位置、アーム２３のチルト角などの姿勢パラメータを
有する撮影配置へと変化させる。次に、Ｘ線制御装置５が、管電圧、管電流、Ｘ線パルス
幅などのＸ線条件に基づいてＸ線管６に電力の印加を行い、Ｘ線管６にＸ線の照射を行わ
せる。ＦＰＤ７はＸ線管６から照射されたＸ線に基づいて電気信号を生成し、生成した電
気信号をＸ線検出装置Ｉ／Ｆ１１へと出力する。Ｘ線検出装置Ｉ／Ｆ１１は投影画像を画
像信号へと変換し、画像生成部１０２へと出力する。画像生成部１０２はＸ線検出装置Ｉ
／Ｆ１１から入力された画像信号を画像データへと変換する。そして、画像生成部１０２
は変換した画像データを境界補正画像データとして、姿勢パラメータ及びＸ線条件と対応
付けて記憶部１０５内の境界補正画像ＤＢ１０６へと格納する。この一連の境界補正画像
データの生成処理を、様々な姿勢パラメータ及びＸ線条件について行う。以下、姿勢パラ
メータとＸ線条件を総称して単に撮影パラメータと記載する。
【００４４】
次に、画像データの補正方法について述べる。まず、ＦＰＤ７を格納した撮影配置を取る
Ｘ線画像診断装置１の第１天板２及び第２天板３に、被検体４を載置する。次に、Ｘ線制
御装置５がＸ線管６に電力の印加を行い、Ｘ線管６にＸ線の照射を行わせる。ＦＰＤ７は
Ｘ線管６から照射されたＸ線に基づいて電気信号を生成し、生成した電気信号をＸ線検出
装置Ｉ／Ｆ１１へと出力する。Ｘ線検出装置Ｉ／Ｆ１１は電気信号を画像信号へと変換し
、画像生成部１０２へと出力する。画像生成部１０２はＸ線検出装置Ｉ／Ｆ１２から入力
された画像信号を画像データへと変換する。
【００４５】
画像生成部１０２が画像データの生成を行うと、補正画像生成部１０９はＸ線制御装置
５及び駆動部Ｉ／Ｆ１０８から、画像データの生成を行った際の撮影パラメータを読み出
す。システム制御部１００が画像データの生成を行った際の撮影パラメータを補正画像生
成部１０９に出力する。次に、補正画像生成部１０９は境界補正画像ＤＢ１０６にアクセ
スし、撮影パラメータに対応付けられた境界補正画像データを読み出す。そして、補正画
像生成部１０９は画像生成部１０２が出力した画像データと境界補正画像データとの差分
を取り、補正された画像データを生成する。画像生成部１０２が出力した画像データは、
被検体４に加えて第１天板２及び第２天板３の境界が撮影された画像データである。この
画像データと、境界のみを撮影した境界補正画像データとの差分を取ることにより、画像
データから境界を撮影して得られた要素を削除することができる。補正画像生成部１０９
は補正された画像データを生成すると、画像出力Ｉ／Ｆ１０３を通じてモニタ１４に出力
するか、あるいは記憶部１０５へと出力する。
【００４６】
本発明においては、先に述べた画像データの補正処理により、撮影パラメータに対応付け
た境界補正画像データを予め境界補正画像ＤＢ１０６に記憶している。一般に、撮影パラ
メータの変化に応じて撮影される被検体４の画像データが変化するのと同様に、撮影され
た境界の画像データは撮影パラメータの変化に応じて変化してしまう。そこで、補正画像
生成部１０９は撮影された撮影パラメータに対応した境界補正画像データを読み出し、こ
れを用いて画像データの補正を行うことにより、補正画像生成部１０９は撮影パラメータ
が種々に変化した場合であっても、画像データに写り込んだ境界を正しく補正することが
できる。
【００４７】
（撮影処理の流れ）
図７は、Ｘ線画像診断装置１を用いた撮影処理の流れを示すフローチャートである。以
下に、図７を参照して撮影処理の流れについて述べる。
【００４８】
まず、Ｘ線画像診断装置１が撮影処理を開始する（ステップ１０００）と、操作部Ｉ／
Ｆ１０７が撮影モードの入力を受け付ける（ステップ１００１）。Ｘ線画像診断装置１の
使用者による撮影モードの入力が操作部１６を通じて行われると、システム制御部１００
は入力された撮影モードが消化管撮影モードであるか、あるいは一般撮影モードであるか
を判断する（ステップ１００２）。なお、Ｘ線画像診断装置１の使用者によって行われる
撮影モードの入力は、撮影モードを指示するだけでなく、種々の撮影パラメータを同時に
指示するものであっても構わない。
【００４９】
システム制御部１００が、操作部１６より入力された撮影モードが消化管撮影モードで
あると判断すると（ステップ１００２の「消化管撮影モード」）、システム制御部１００
は、記憶部１０５に格納されている、現在の各駆動装置の位置状態を読み出し、現在ＦＰ
Ｄ７が寝台フレーム２７の内部に格納されているか、あるいは第１天板２及び第２天板３
から迫り出しているかを判断する（ステップ１００３）。システム制御部１００が、ＦＰ
Ｄ７が格納されていると判断すると（ステップ１００３の「Ｎｏ」）、システム制御部１
００はＸ線制御装置５を駆動し、撮影を行う（ステップ１０１０）。一方、システム制御
部１００が、ＦＰＤ７が迫り出していると判断すると（ステップ１００３の「Ｙｅｓ」）
、システム制御部１００はＦＰＤ７を格納させるための指示信号を駆動部Ｉ／Ｆ１０８へ
と出力する。駆動部Ｉ／Ｆ１０８はシステム制御部１００から出力された指示信号を受け
て、まず迫り出し機構２１を縮退させ、ＦＰＤ７を寝台フレーム２７の内部へと移動させ
る（ステップ１００５）。次に、駆動部Ｉ／Ｆ１０８は第１天板スライダ１９及び第２天
板スライダ２０を駆動し、第１天板２及び第２天板３を近接させる（ステップ１００６）
。駆動部Ｉ／Ｆ１０８がステップ１００５及びステップ１００６に述べた駆動処理を終え
たとシステム制御部１００が判断すると、システム制御部１００はＸ線制御装置５を駆動
し、撮影を行う（ステップ１０１０）。
【００５０】
一方、システム制御部１００が、操作部１６より入力された撮影モードが一般撮影モー
ドであると判断すると（ステップ１００２の「一般撮影モード」）、システム制御部１０
０は、入力された一般撮影モードがＦＰＤ７を迫り出させた撮影モードであるか、あるい
はＦＰＤ７を寝台フレーム２７の内部へ格納した撮影モードであるかを判断する（ステッ
プ１００６）。
【００５１】
システム制御部１００が、操作部１６より入力された一般撮影モードはＦＰＤ７を格納し
た撮影モードであると判断すると（ステップ１００６の「Ｎｏ」）、システム制御部１０
０及び駆動部Ｉ／Ｆ１０８はステップ１００３からステップ１００５に先述した処理を行
った後に、ステップ１０１０の撮影処理を行う。一方、システム制御部が、操作部１６よ
り入力された一般撮影モードはＦＰＤ７を迫り出させた撮影モードであると判断すると（
ステップ１００６の「Ｙｅｓ」）、システム制御部１００は、記憶部１０５に格納された
Ｘ線画像診断装置１の各駆動装置の位置状態を読み出して、ＦＰＤ７が格納されているか
、あるいはＦＰＤ７が迫り出しているか位置状態を判断する（ステップ１００７）。
【００５２】
システム制御部１００が、ＦＰＤ７が迫り出していると判断すると（ステップ１００７の
「Ｙｅｓ」）、システム制御部１００はＸ線制御装置５を駆動し、撮影を行う（ステップ
１０１０）。一方、システム制御部１００が、ＦＰＤ７が迫り出していないと判断すると
（ステップ１００７の「Ｎｏ」）、システム制御部１００はＦＰＤ７を迫り出させるため
の指示信号を駆動部Ｉ／Ｆ１０８へと出力する。駆動部Ｉ／Ｆ１０８はシステム制御部１
００から出力された指示信号を受けて、まず第１天板スライダ１９及び第２天板スライダ
２０を駆動し、第１天板２及び第２天板３を離間させる（ステップ１００８）。次に、駆
動部Ｉ／Ｆ１０８は迫り出し機構２１を伸長させ、ＦＰＤ７を迫り出させる（ステップ１
００９）。駆動部Ｉ／Ｆ１０８がステップ１００８及びステップ１００９に述べた駆動処
理を終えたとシステム制御部１００が判断すると、システム制御部１００はＸ線制御装置
５を駆動し、撮影を行う（ステップ１０１０）。
【００５３】
システム制御部１００は、ステップ１０１０に述べた撮影処理が終了すると、撮影がＦ
ＰＤ７を迫り出させて行ったものであったか、あるいは格納して行ったものであったかを
判断する（ステップ１０１１）。システム制御部１００は、撮影がＦＰＤ７を迫り出させ
て行ったものであると判断すると（ステップ１０１１の「Ｙｅｓ」）、システム制御部１
００は、画像生成部１０２が生成した画像データを画像出力Ｉ／Ｆ１３を通じてモニタ１
４へと出力して（ステップ１０１３）、処理を終了する（ステップ１０１４）。一方、シ
ステム制御部１００は、撮影がＦＰＤ７を格納して行ったものであると判断すると（ステ
ップ１０１１の「Ｎｏ」）、システム制御部１００は、画像生成部１０２及び補正画像生
成部１０９に画像データの補正指示信号を出力する。画像生成部１０２はシステム制御部
１００が出力した補正指示信号を受けて、画像データを補正画像生成部１０９へと出力す
る。補正画像生成部１０９はシステム制御部１００が出力した補正指示信号を受けて、Ｘ
線制御装置５及び駆動部Ｉ／Ｆ１０８から撮影パラメータを取得する。そして、補正画像
生成部１０９は取得した撮影パラメータに対応付けられた境界補正画像データを、境界補
正画像ＤＢ１０６から読み出す。補正画像生成部１０９は、読み出した境界補正画像デー
タと画像生成部１０２から出力された画像データとの差分を取り、補正された画像データ
を生成する（ステップ１０１２）。システム制御部１００は、補正画像生成部１０９が生
成した補正された画像データを画像出力Ｉ／Ｆ１０３を通じてモニタ１４へと出力し（ス
テップ１０１３）、処理を終了する（ステップ１０１４）。
【００５４】
以上の処理によってＸ線画像診断装置１は、使用者が指示した撮影モードがＦＰＤ７と
Ｘ線管６との間に天板を挟んだ撮影モードであるか、あるいは天板を挟まない撮影モード
であるかによって各駆動装置を駆動して、撮影を行う。更に、天板を挟む撮影モードで撮
影を行った場合は、境界補正画像ＤＢ１０６に予め記憶された境界補正画像データを用い
て画像の補正を行う。これにより、撮影された画像データに写り込んだ、第１天板２及び
第２天板３との境界を排除した画像データを得ることができる。
【００５５】
なお、ステップＳ１００１にてＸ線画像診断装置１の使用者が、撮影モード以外に撮影
パラメータの指示を入力した場合には、駆動部Ｉ／Ｆ１０８はステップ１０１０において
、各駆動装置の位置状態を入力された姿勢パラメータに対応したものへと変化させる。例
えばＸ線画像診断装置１の使用者がＦＰＤ７を迫り出させた一般撮影モードの撮影を行う
際に、撮影配置制御ボタン２０５を操作した場合には、駆動部Ｉ／Ｆ１０８はステップ１
０１０において第１天板２及び第２天板３に対するＦＰＤ７の迫り出し量を変化させる。
【００５６】
また、Ｘ線検出装置はステップ１０１０において、入力されたＸ線条件に従った電力信号
をＸ線管６に印加して撮影を行う。例えばＸ線画像診断装置１の使用者が消化管撮影モー
ドの撮影を行う際にＸ線条件ボタン２０８を操作した場合には、Ｘ線制御装置５はＸ線管
６に印加する管電圧の値を指定された値に変化させて、撮影を行う。
【００５７】
このように、上記構成のＸ線画像診断装置１では、使用者が指示した撮影モードに合わせ
て各駆動装置を駆動させて撮影を行う。一般撮影モードによる撮影を行う場合は第１天板
２及び第２天板とを離間させ、離間させた隙間からＦＰＤ７を迫り出させる。迫り出した
ＦＰＤ７と被検体４とが接した状態で撮影を行うことにより、よりノイズの少ない投影画
像を得ることができる。一方、消化管撮影モードによる撮影を行う場合は第１天板２及び
第２天板３とを近接させ、第１天板２及び第２天板３に被検体４を載置して撮影を行うこ
とができる。更に、Ｘ線管６とＦＰＤ７との間に天板を挟んだ撮影モードで撮影を行う場
合は、境界補正画像ＤＢ１０６に予め記憶された境界補正画像データを用いて画像の補正
を行う。これにより、生成した画像データに含まれる第１天板２及び第２天板３との境界
の要素を排除した画像データを得ることができる。
【００５８】
また、上記構成のＸ線画像診断装置１では、使用者が指示した撮影モードに合わせて、Ｆ
ＰＤ７を寝台フレーム２７の内部へ格納し、あるいは第１天板２及び天板３とを離間させ
てＦＰＤ７を迫り出させて撮影を行う。そのため、Ｘ線管６とＦＰＤ７との間に天板を挟
んだ撮影と天板を挟まない撮影とを１つの装置で行うことができ、より少ない装置の設置
面積でＸ線画像診断装置１を構成することができる。
【００５９】
また、上記構成のＸ線画像診断装置１では、使用者が指示した撮影モードに合わせてＦＰ
Ｄ７を迫り出しあるいは格納させるとともに、寝台回転機構２２を用いて寝台を回転させ
る。これによりＸ線画像診断装置１の使用者は、寝台フレーム２７の床面に対する角度を
所望の角度に変化させて、ＦＰＤ７を迫り出させた一般撮影モードでの撮影を行うことが
できる。そのため、例えば寝台フレーム２７を床面に対して水平にすることで、被検体４
を第１天板２あるいは第２天板３に載置した状態で、被検体４の手足等の部位を容易に撮
影することができる。
【００６０】
（第２の実施形態）
図８及び図９は、本発明の第２の実施形態に係るＸ線画像診断装置１の構成を示す図で
ある。第２の実施形態では、ＦＰＤ７が第１天板２と第２天板３との境界を避け、第１天
板の下部にくるよう設けられている。Ｘ線画像診断装置１の各構成要素の動作及び、撮影
処理の流れは第１の実施形態に述べたものと同様であるので、説明を省略する。
【００６１】
図８は、第２の実施形態に係るＸ線画像診断装置１において、消化管撮影モードの撮影
を行う際の各駆動装置の位置状態を示す図である。第２の実施形態に係るＸ線画像診断装
置１においては、第２天板スライダ２０が省かれ、第２天板３は寝台フレーム２７の下端
に接するように設けられる。また、消化管撮影モードの撮影を行う際の各駆動装置の位置
状態では、ＦＰＤ７は第１天板２及び第２天板３の境界の下部を避けて、第１天板２の下
部にくるよう設けられる。
【００６２】
従って、第２の実施形態に係るＸ線画像診断装置１において、消化管撮影モードの撮影
を行う場合、Ｘ線管６から照射されたＸ線は、第１天板２及び第２天板３の境界を透過す
ることなくＦＰＤ７へと入射する。このため、ＦＰＤ７が取得する投影画像は、第１天板
２及び第２天板３の境界の影響がないものとなる。従って、第２の実施形態に係るＸ線画
像診断装置１においては、図７のステップ１１３に述べた境界補正画像データを用いた画
像データの補正処理を行う必要がなく、より簡単な構成でＸ線画像診断装置１を構成する
ことができる。
【００６３】
図９は、第２の実施形態に係るＸ線画像診断装置１において、一般撮影モードの撮影を
行う際の各駆動装置の位置状態を示す図である。第１の実施形態に係るＸ線画像診断装置
１において一般撮影モードの撮影を行う場合、第２天板スライダ２０を用いて第２天板３
を離間方向に移動すると、第２天板３が寝台フレーム２７の下部へ迫り出し床面と干渉す
る可能性があった。第２の実施形態に係るＸ線画像診断装置１においては、第２天板３が
寝台フレーム２７の下端に接するように設けられ駆動しない。このため、各駆動装置の位
置状態によらず、第２天板３と床面との干渉を避けることができる。また、一般撮影モー
ドの撮影を行うためＦＰＤ７を迫り出させる際には、第１天板スライダ１９のみを駆動す
ることでＦＰＤ７を迫り出させるための隙間を作ることができる。従って、第２の実施形
態に係るＸ線画像診断装置１においては、第２天板スライダ２０を設けずＦＰＤ７を迫り
出させることができ、より簡単な構成でＸ線画像診断装置１を構成することができる。
【００６４】
本発明は、上述の実施例に限定されるものではなく、要旨を逸脱しない範囲内において
、種々の形態で実施することが可能である。例えば、本実施例においては天板を第１天板
と第２天板の２つの天板を用いて構成する例を示したが、３つ以上の天板を組み合わせて
天板を構成し、各天板に対して天板スライダを設けても構わない。また、天板の駆動方向
は被検体の載置方向に対して水平方向となる例を示したが、被検体の載置方向に対して天
板を垂直方向に駆動しても構わない。あるいは、一般撮影モードの撮影を行う際に天板を
所定の方向に回転させてＦＰＤを迫り出させても構わない。また、上記実施形態に開示さ
れている複数の構成要素の適宣なく見合わせにより、種々の発明を形成できる。例えば、
実施形態に示される全構成要素から幾つかの構成要素を削除してもよい。あるいは、異な
る実施例にわたる構成要素を適宣組み合わせてもよい。
【符号の説明】
【００６５】
１    Ｘ線画像診断装置
２    第１天板
３    第２天板
４    被検体
５    Ｘ線発生装置
６    Ｘ線管
７    ＦＰＤ
１４  モニタ
１６  操作部
１９  第１天板スライダ
２０  第２天板スライダ
２１  迫り出し機構
２２  寝台回転機構
２３  アーム
２４  支持台
２５  アームスライダ
２６  アーム回転機構
２７  寝台フレーム
１００  システム制御部
１０１  Ｘ線検出装置Ｉ／Ｆ
１０２  画像生成部
１０３  画像出力Ｉ／Ｆ
１０５  記憶部
１０６  境界補正画像ＤＢ
１０７  操作部Ｉ／Ｆ
１０８  駆動部Ｉ／Ｆ
１０９  補正画像生成部
【図１】
2011115454.tif 000003
【図２】
2011115454.tif 000004
【図３】
2011115454.tif 000005
【図４】
2011115454.tif 000006
【図５】
2011115454.tif 000007
【図６】
2011115454.tif 000008
【図７】
2011115454.tif 000009
【図８】
2011115454.tif 000010
【図９】
2011115454.tif 000011